(57)【要約】【課題】分解する際のカバー筐体の破損を防止することができる携帯端末を提供することを目的とする。【解決手段】携帯電話機１は、表側キャビネット４と、表側キャビネット４に取り付けられた裏側キャビネット６と、裏側キャビネット６を覆うカバー筐体２１と、裏側キャビネット６とカバー筐体２１との間に設けられた防水テープ１２とを備える。カバー筐体２１は、カバー２２と、カバー２２に対向して配置されたフレーム２３と、カバー２２とフレーム２３との間に設けられた防水テープ２４とを有する。防水テープ２４の外側において、フレーム２３に、カバー２２に向けて突出する突起部２５が形成されている。【選択図】図５
2015076742.tif 000002
【特許請求の範囲】
【請求項１】
キャビネットと、
前記キャビネットを覆うカバー筐体と、
前記キャビネットと前記カバー筐体との間に設けられたテープと
を備え、
前記カバー筐体は、カバーと、該カバーに対向して配置されたフレームと、前記カバーと前記フレームとの間に設けられた他のテープとを有し、
前記他のテープの外側において、前記フレームに、前記カバーに向けて突出する突起部が形成されていることを特徴とする携帯端末。
【請求項２】
前記突起部が、前記カバーに接触するように形成されていることを特徴とする請求項１に記載の携帯端末。
【請求項３】
前記突起部が、前記他のテープに隣接して設けられていることを特徴とする請求項１または請求項２に記載の携帯端末。
【請求項４】
前記突起部の外側において、前記カバーに、前記テープに向けて延設された他の突起部が形成されていることを特徴とする請求項１〜請求項３のいずれか１項に記載の携帯端末。
【請求項５】
キャビネットと、
前記キャビネットを覆うカバー筐体と、
前記キャビネットと前記カバー筐体との間に設けられたテープと
を備え、
前記カバー筐体は、カバーと、該カバーに対向して配置されたフレームと、前記カバーと前記フレームとの間に設けられた他のテープとを有し、
前記他のテープの外側において、前記カバーに、前記テープに向けて延設された突起部が形成されていることを特徴とする携帯端末。
【発明の詳細な説明】
【技術分野】
【０００１】
本発明は、防水機能を有する携帯端末に関するものである。
【背景技術】
【０００２】
従来、複数の部品が、テープにより貼り付けられた携帯電話機として、例えば、フレームと、正面反射板と、正面導電板と、正面表示器と、これらの各部品を貼り付けるための複数の両面テープとを備えたものが知られている（例えば、特許文献１参照）。
【０００３】
また、防水機能を有する携帯電話機として、表側キャビネットと、表側キャビネットに取り付けられた裏側キャビネットと、裏側キャビネットを覆うカバー筐体とを備え、裏側キャビネットとカバー筐体との間に設けられた防水テープと、カバー筐体が、カバー、フレーム、及びカバーとフレームとの間に設けられた他の防水テープからなるものが知られている。
【先行技術文献】
【特許文献】
【０００４】
【特許文献１】特開２００４−１１２６５９号公報
【発明の概要】
【発明が解決しようとする課題】
【０００５】
しかし、上記従来の携帯電話機においては、携帯電話機を分解する際に、部品の破損が生じるという問題があった。より具体的には、例えば、上記従来の防水機能を有する携帯電話機においては、ピック等の治具を裏側キャビネットとカバー筐体との間に挿入して、他の防水テープを剥離し、裏側キャビネットとカバー筐体とを分離する際に、誤って、カバーとフレームとの隙間に治具が挿入されてしまい、カバー筐体が破損（即ち、カバーとフレームとの間に設けられた防水テープが剥離）してしまうという問題があった。
【０００６】
そこで、本発明は、上述の問題に鑑みてなされたものであり、分解する際のカバー筐体の破損を防止することができる携帯端末を提供することを目的とする。
【課題を解決するための手段】
【０００７】
上記目的を達成するために、本発明の携帯端末は、キャビネットと、キャビネットを覆うカバー筐体と、キャビネットとカバー筐体との間に設けられたテープとを備え、カバー筐体は、カバーと、カバーに対向して配置されたフレームと、カバーとフレームとの間に設けられた他のテープとを有し、他のテープの外側において、フレームに、カバーに向けて突出する突起部が形成されていることを特徴とする。
【０００８】
同構成によれば、ピック等の治具をキャビネットとカバー筐体との間に挿入して、防水テープを剥離し、キャビネットとカバー筐体とを分離する（即ち、携帯端末を分解する）際に、誤って、カバーとフレームとの隙間に治具が挿入されることを防止することができる。従って、携帯端末を分解する際のカバー筐体の破損を防止することが可能になる。
【０００９】
本発明の他の携帯端末は、キャビネットと、キャビネットを覆うカバー筐体と、キャビネットとカバー筐体との間に設けられたテープとを備え、カバー筐体は、カバーと、カバーに対向して配置されたフレームと、カバーとフレームとの間に設けられた他のテープとを有し、他のテープの外側において、カバーに、テープに向けて延設された突起部が形成されていることを特徴とする。
【００１０】
同構成によれば、ピック等の治具をキャビネットとカバー筐体との間に挿入して、防水テープを剥離し、キャビネットとカバー筐体とを分離する際に、治具をキャビネットとカバー筐体との間に確実に挿入することが可能になる。従って、携帯端末を分解する際に、カバーとフレームとの隙間に治具が挿入されることを防止することができる。その結果、携帯端末を分解する際のカバー筐体の破損を防止することが可能になる。
【発明の効果】
【００１１】
本発明によれば、携帯端末を分解する際に、カバー筐体の破損を防止することができる。
【図面の簡単な説明】
【００１２】
【図１】本発明の実施形態に係る携帯電話機の平面図である。
【図２】図１のＡ−Ａ断面図である。
【図３】本発明の実施形態に係る携帯電話機における裏側キャビネットとカバー筐体との間に設けられた防水テープを説明するための分解斜視図である。
【図４】本発明の実施形態に係る携帯電話機おけるカバー筐体の分解斜視図である。
【図５】図２におけるＥの部分の拡大図である。
【発明を実施するための形態】
【００１３】
以下、本発明の実施形態を図面に基づいて詳細に説明する。尚、本発明は、以下の実施形態に限定されるものではない。
【００１４】
本実施形態の携帯電話機１は、防水機能を有する携帯端末であり、図１、図２に示すように、表示パネル２と、表示パネル２を収容するための表示用凹部３を有する表側キャビネット４と、矩形板状の回路基板５と、この回路基板５が設けられた裏側キャビネット６とを備えている。
【００１５】
また、図２に示すように、携帯電話機１は、例えば、複数の画素等で構成される表示領域Ｄと、表示領域Ｄの周辺に設けられた額縁領域Ｆとを備えている。
【００１６】
また、表側キャビネット４における表示用凹部３の周縁には、矩形枠状にタッチパネル用凹部７が形成されている。このタッチパネル用凹部７には、表示パネル２を表側から覆うように矩形板状の保護パネルであるタッチパネル８が設けられており、図２に示すように、タッチパネル８が、額縁領域Ｆに設けられた両面テープ９により、表側キャビネット４に貼り付けられている。
【００１７】
また、図２に示すように、表示パネル２は、タッチパネル８の裏側表面に設けられた両面テープ１８により、タッチパネル８に貼り付けられている。
【００１８】
また、本実施形態においては、表側キャビネット４と裏側キャビネット６は、一体的に形成されている。
【００１９】
また、本実施形態においては、図２に示すように、回路基板５を収容する裏側キャビネット６を覆うカバー筐体２１が設けられている。なお、本実施形態においては、カバー筐体２１は、電池用カバーとして使用される。
【００２０】
そして、図２に示すように、裏側キャビネット６とカバー筐体２１には、互いに嵌合するように凹凸が形成されており、裏側キャビネット６とカバー筐体２１とを嵌合することにより、裏側キャビネット６にカバー筐体２１が取り付けられる構成となっている。
【００２１】
また、表側キャビネット４は、表側キャビネット４を形成する樹脂と一体的に形成された金属板１３を備えている。この金属板１３は、携帯電話機１の剛性を向上させるためのものである。
【００２２】
また、本実施形態においては、図２に示すように、裏側キャビネット６に電池２０が収容されており、金属板１３と回路基板５との間に電池２０が配置されている。そして、カバー筐体２１により、電池２０が収容された裏側キャビネット６が覆われる構成となっている。
【００２３】
また、本実施形態における表示パネル２としては、例えば、液晶表示パネルや有機ＥＬ表示パネル等を使用することができる。
【００２４】
また、図３、図５に示すように、裏側キャビネット６とカバー筐体２１との間には、矩形枠状の防水テープ１２が挟み込まれている。
【００２５】
この防水テープ１２は、両面が粘着面となっており、裏側キャビネット６とカバー筐体２１に貼り付けられる構成となっている。
【００２６】
そして、このような構成により、防水テープ１２が、裏側キャビネット６とカバー筐体２１に密着して防水機能が発揮され、水が回路基板５側へ流れ込まないようになっている。
【００２７】
また、図４、図５に示すように、カバー筐体２１は、カバー２２と、カバー２２に対向して配置されたフレーム２３と、矩形枠状の防水テープ２４により構成されており、カバー２２とフレーム２３との間に、防水テープ２４が挟み込まれている。
【００２８】
この防水テープ２４は、両面が粘着面となっており、カバー２２とフレーム２３に貼り付けられる構成となっている。
【００２９】
そして、このような構成により、防水テープ２４が、カバー２２とフレーム２３に密着して防水機能が発揮され、水がカバー筐体２１の内部へ流れ込まないようになっている。
【００３０】
ここで、本実施形態においては、図５に示すように、防水テープ２４の外側（携帯電話機１の外周方向であって、図５に示す矢印Ｘの方向）において、フレーム２３に、カバー２２に向けて突出する突起部２５が形成されている点に特徴がある。
【００３１】
そして、このような構成により、ピック等の治具を裏側キャビネット６とカバー筐体２１との間に挿入して、防水テープ１２を剥離し、裏側キャビネット６とカバー筐体２１とを分離する（即ち、携帯電話機１を分解する）際に、誤って、カバー２２とフレーム２３との隙間に治具が挿入されることを防止することができる。従って、携帯電話機１を分解する際のカバー筐体２１の破損（即ち、カバー２２とフレーム２３との間に設けられた防水テープ２４の剥離）を防止することが可能になる。
【００３２】
また、図５に示すように、突起部２５は、カバー２２に接触するように形成されている。
【００３３】
従って、携帯電話機１を分解する際に、カバー２２とフレーム２３との隙間に治具が挿入されることを確実に防止することができる。
【００３４】
また、図５に示すように、突起部２５は、防水テープ２４に隣接して設けられているため、突起部２５と、突起部２５が接触するカバー２２との間の隙間の発生を防止することが可能になる。従って、携帯電話機１を分解する際に、カバー２２とフレーム２３との隙間に治具が挿入されることを、より一層確実に防止することができる。
【００３５】
また、本実施形態においては、図５に示すように、防水テープ２４（または、突起部２５）の外側（即ち、上述の矢印Ｘの方向）において、カバー２２に、防水テープ１２に向けて延設された突起部２６が形成されている。
【００３６】
従って、携帯電話機１を分解する際に、突起部２６が、治具を案内するガイド部として機能するため、治具を裏側キャビネット６とカバー筐体２１との間に確実に挿入することが可能になる。その結果、携帯電話機１を分解する際に、カバー２２とフレーム２３との隙間に治具が挿入されることをより一層確実に防止することができる。
【００３７】
以上に説明した本実施形態においては、以下の効果を得ることができる。
【００３８】
（１）本実施形態においては、防水テープ２４の外側において、フレーム２３に、カバー２２に向けて突出する突起部２５を形成する構成としている。従って、携帯電話機１を分解する際に、誤って、カバー２２とフレーム２３との隙間に治具が挿入されることを防止することができるため、カバー筐体２１の破損を防止することが可能になる。
【００３９】
（２）本実施形態においては、突起部２５を、カバー２２に接触するように形成している。従って、携帯電話機１を分解する際に、カバー２２とフレーム２３との隙間に治具が挿入されることを確実に防止することができる。
【００４０】
（３）本実施形態においては、防水テープ２４に隣接して突起部２５を設ける構成としている。従って、携帯電話機１を分解する際に、カバー２２とフレーム２３との隙間に治具が挿入されることを、より一層確実に防止することができる。
【００４１】
（４）本実施形態においては、防水テープ２４の外側において、カバー２２に、防水テープ１２に向けて延設された突起部２６を形成する構成としている。従って、治具を裏側キャビネット６とカバー筐体２１との間に確実に挿入することが可能になるため、携帯電話機１を分解する際に、カバー２２とフレーム２３との隙間に治具が挿入されることをより一層確実に防止することができる。
【００４２】
なお、上記実施形態は以下のように変更しても良い。
【００４３】
上記実施形態においては、防水テープ１２，２４による防水構造としているが、それよりも密閉性の低い防塵構造であってもよい。
【００４４】
また、上記実施形態では、携帯端末は、携帯電話機としたが、ＰＨＳ（Personal Handy-phone System）、ＰＤＡ(Personal Digital Assistant)、スマートフォン、パソコン、モバイルツール、電子辞書、電卓、ゲーム機等であってもよい。
【００４５】
また、上記実施形態においては、表側キャビネット４と裏側キャビネット６を一体的に形成する構成としたが、表側キャビネット４と裏側キャビネット６を別部材として設ける構成としてもよい。この場合、表側キャビネット４と裏側キャビネット６に、互いに嵌合する凹凸を形成し、表側キャビネット４と裏側キャビネット６とを嵌合した状態で、ネジ、クリップ、両面テープ等を使用して締結することにより、表側キャビネット４に裏側キャビネット６を取り付ける。このように、本発明においては、裏側キャビネット６は、表側キャビネット４に対向して配置されていればよい。
【産業上の利用可能性】
【００４６】
以上説明したように、本発明は、防水機能を有する携帯端末に、特に有用である。
【符号の説明】
【００４７】
１    携帯電話機（携帯端末）
２    表示パネル
３    表示用凹部
４    表側キャビネット
５    回路基板
６    裏側キャビネット
７    タッチパネル用凹部
８    タッチパネル
９    両面テープ
１２    防水テープ（テープ）
１３    金属板
１８    両面テープ
２０    電池
２１    カバー筐体
２２    カバー
２３    フレーム
２４    防水テープ（他のテープ）
２５    突起部
２６    突起部
【図１】
2015076742.tif 000003
【図２】
2015076742.tif 000004
【図３】
2015076742.tif 000005
【図４】
2015076742.tif 000006
【図５】
2015076742.tif 000007